(57)【要約】【課題】この発明は、外部機器と電気的に接続させるバスバが運搬中に他の部材と干渉することを防止できる電気接続箱、電気接続箱に内蔵されるスライド機構、及びバスバを保持するバスバホルダを提供することを目的とする。【解決手段】このように構成された電気接続箱１は、インバータ１００と電気的に接続する先端部２３（先端貫通孔２３ａ）が一端側に備えられたバスバ２０と、先端部２３が−Ｈ側に向けて突出するようにバスバ２０を保持するバスバホルダ３０と、先端貫通孔２３ａが挿通可能な被固定部６０を有する箱本体１０と、箱本体１０の内部に固定されるとともに、所定の方向に沿ってバスバホルダ３０をスライド可能に支持するスライド支持部４０とで構成され、バスバホルダ３０は、先端貫通孔２３ａが被固定部６０を貫通して外部に突出する突出姿勢Ｔと、先端貫通孔２３ａが箱本体１０の内部に収納された収納姿勢Ｓとの間でスライドする。【選択図】図３
2019176701.tif 000002
【特許請求の範囲】
【請求項１】
外部機器と電気的に接続する端子部が一端側に備えられたバスバと、
前記端子部が所定の方向に向けて突出するように前記バスバを保持するバスバホルダと、
前記端子部が挿通可能な開口部を有する筐体と、
該筐体の内部に固定されるとともに、前記所定の方向に沿って前記バスバホルダをスライド可能に支持するスライド支持部とで構成され、
前記バスバホルダは、
前記端子部が前記開口部を貫通して外部に突出する突出姿勢と前記端子部が前記筐体の内部に収納された収納姿勢との間でスライドする
電気接続箱。
【請求項２】
前記端子部が突出する突出方向は、前記開口部が形成される開口面に対して直交する
請求項１に記載の電気接続箱。
【請求項３】
前記バスバホルダを前記収納姿勢で仮固定する収納姿勢仮固定部と、
前記バスバホルダの前記収納姿勢での仮固定を解除する仮固定解除部が備えられた
請求項１又は請求項２に記載の電気接続箱。
【請求項４】
前記バスバホルダを前記突出姿勢で固定する突出姿勢固定部が備えられた
請求項１乃至請求項３のうちのいずれかに記載の電気接続箱。
【請求項５】
前記開口部が、前記筐体を構成する底面に形成された
請求項１乃至請求項４のうちのいずれかに記載の電気接続箱。
【請求項６】
前記バスバが、
前記開口部における幅方向に沿って複数配置され、
複数配置された前記バスバの少なくとも一つに、前記幅方向に曲がった屈曲部が備えられた
請求項１乃至請求項５のうちのいずれかに記載の電気接続箱。
【請求項７】
前記バスバは、前記バスバホルダがスライドするスライド方向にのみ延びる
請求項１乃至請求項６のうちのいずれかに記載の電気接続箱。
【請求項８】
前記バスバが、
前記開口部が形成される開口面に沿って延びる展延部が備えられ、
該展延部が延びる展延方向、及び、前記バスバホルダがスライドするスライド方向に直交する直交方向から視てＬ字型に形成された
請求項１乃至請求項７のうちのいずれかに記載の電気接続箱。
【請求項９】
前記展延部に、前記バスバホルダがスライドするスライド方向に沿って起立した起立部が設けられた
請求項８に記載の電気接続箱。
【請求項１０】
前記起立部に、前記開口面に沿って伸展された第二展延部が設けられた
請求項９に記載の電気接続箱。
【請求項１１】
前記バスバホルダに、
前記バスバにおける前記端子部よりも他端側の少なくとも一部を覆うように保持するバスバ保持部が備えられた
請求項１乃至請求項１０のうちのいずれかに記載の電気接続箱。
【請求項１２】
前記バスバホルダは、
前記バスバにおける前記端子部の他端側を、外周全周にわたって囲繞するとともに、前記突出姿勢において前記開口部が形成された開口面を挿通可能に形成されたバスバカバー部が備えられた
請求項１乃至請求項１１のうちのいずれかに記載の電気接続箱。
【請求項１３】
前記スライド支持部は、
前記バスバホルダを支持する支持部本体と、
前記端子部を前記開口部に案内する案内部とで一体に構成され、
前記支持部本体と前記案内部とが所定の間隔を隔てて配置された
請求項１乃至請求項１２のうちのいずれかに記載の電気接続箱。
【請求項１４】
前記支持部本体を前記筐体に固定する本体固定部と、
前記案内部を前記筐体に固定する案内固定部とが備えられ、
前記開口部が形成される開口面に対する前記本体固定部の高さが、前記開口面に対する前記案内固定部の高さよりも大きく構成された
請求項１３に記載の電気接続箱。
【請求項１５】
前記筐体の外部に、
前記スライド支持部に対する前記バスバホルダのスライドを操作する操作部が備えられた
請求項１乃至請求項１４のうちのいずれかに記載の電気接続箱。
【請求項１６】
外部機器と電気的に接続する端子部が一端側に備えられたバスバを前記端子部が所定の方向に向けて突出するように保持するバスバホルダと、
前記端子部が挿通可能な開口部を有する筐体に対して固定されるとともに、前記バスバホルダに保持された前記端子部が前記開口部を貫通して外部に突出する突出姿勢と、前記端子部が前記筐体の内部に収納された収納姿勢との間で前記バスバホルダをスライド可能に支持するスライド支持部とで構成された
スライド機構。
【請求項１７】
外部機器と電気的に接続する端子部が一端側に備えられたバスバを前記端子部が所定の方向に向けて突出するように保持するバスバホルダ本体で構成され、
前記端子部が挿通可能な開口部を有する筐体に対して固定されたスライド支持部に、前記バスバホルダ本体に保持された前記端子部が前記開口部を貫通して外部に突出する突出姿勢と、前記端子部が前記筐体の内部に収納された収納姿勢との間で、前記バスバホルダ本体をスライド可能に支持された
バスバホルダ。
【発明の詳細な説明】
【技術分野】
【０００１】
この発明は、自動車などの車両に搭載される電気接続箱及び前記電気接続箱に内蔵されたスライド機構、バスバを保持するバスバホルダに関する。
【背景技術】
【０００２】
従来から、自動車には、内部にリレーやヒューズ等の各種電子部品を実装した電気接続箱が搭載されており、電気接続箱の外部に備えられたバッテリーなどの外部機器と電気的に接続されている。例えば、近年普及している電気自動車やハイブリット自動車等では、外部機器として直流電流を交流電流に変換しモータに送電するインバータが用いられている。
【０００３】
このようなインバータと電気接続箱とを電気的に接続する構造の一例として、電気接続箱の内部に配索された電子回路や電子部品と電気的に接続されているバスバの端子部を外部に突出させ、この端子部をインバータ（外部機器）に備えられた端子接続部に接続させることができる電気接続箱が特許文献１に開示されている。
【０００４】
しかしながら、このようにバスバの端子部がロアカバーなどから外部に突出している電気接続箱は、納品や車両に搭載するために運搬する場合などに、バスバの端子部が他の部材と干渉して損傷するおそれがあった。
【先行技術文献】
【特許文献】
【０００５】
【特許文献１】特開２０１７−１２１１７８号公報
【発明の概要】
【発明が解決しようとする課題】
【０００６】
この発明は、上述した問題を鑑み、外部機器と電気的に接続させるバスバが他の部材と干渉することを防止できる電気接続箱、電気接続箱に内蔵されるスライド機構、及びバスバを保持するバスバホルダを提供することを目的とする。
【課題を解決するための手段】
【０００７】
この発明は、外部機器と電気的に接続する端子部が一端側に備えられたバスバと、前記端子部が所定の方向に向けて突出するように前記バスバを保持するバスバホルダと、前記端子部が挿通可能な開口部を有する筐体と、該筐体の内部に固定されるとともに、前記所定の方向に沿って前記バスバホルダをスライド可能に支持するスライド支持部とで構成され、前記バスバホルダは、前記端子部が前記開口部を貫通して外部に突出する突出姿勢と前記端子部が前記筐体の内部に収納された収納姿勢との間でスライドする電気接続箱であることを特徴とする。
【０００８】
またこの発明は、外部機器と電気的に接続する端子部が一端側に備えられたバスバを前記端子部が所定の方向に向けて突出するように保持するバスバホルダと、前記端子部が挿通可能な開口部を有する筐体に対して固定されるとともに、前記バスバホルダに保持された前記端子部が前記開口部を貫通して外部に突出する突出姿勢と、前記端子部が前記筐体の内部に収納された収納姿勢との間で前記バスバホルダをスライド可能に支持するスライド支持部とで構成されたスライド機構であることを特徴とする。
【０００９】
さらにまたこの発明は、外部機器と電気的に接続する端子部が一端側に備えられたバスバを前記端子部が所定の方向に向けて突出するように保持するバスバホルダ本体で構成され、前記端子部が挿通可能な開口部を有する筐体に対して固定されたスライド支持部に、前記バスバホルダ本体に保持された前記端子部が前記開口部を貫通して外部に突出する突出姿勢と、前記端子部が前記筐体の内部に収納された収納姿勢との間で、前記バスバホルダ本体をスライド可能に支持されたバスバホルダであることを特徴とする。
【００１０】
前記バスバは、前記筐体の外部に設けた外部機器と電気的に接続する電気伝導体をさし、例えば銅やアルミのような導電性を有する金属を平板状や棒状などに形成したものを含む。また、前記バスバは、直線状に形成されている構成や、一回又は複数回折り曲げられて形成されている構成、部分的又は全体的に湾曲している構成を含む。
【００１１】
前記収納姿勢とは、前記開口部が形成する開口面より内部側に前記端子部が備えられた前記バスバが配置されるように、前記バスバホルダが前記スライド支持部に支持された姿勢をさし、前記バスバの先端が前記開口面と面一となっている場合も含む。
【００１２】
この発明により、外部機器と電気的に接続させる前記バスバが他の部材と干渉することを防止できる。  
詳述すると、前記バスバホルダをスライドさせることで、前記突出姿勢において前記開口部を貫通して外部に突出した前記端子部を、前記筐体の内部に収納することができるため、例えば前記電気接続箱の運搬中などにおいて、前記バスバを前記筐体内部に収納させ、前記バスバが他の部材と干渉して損傷することを防止できる。
【００１３】
この発明の態様として、前記端子部が突出する突出方向は、前記開口部が形成される開口面に対して直交してもよい。  
この発明により、外部機器に設けた外部装着部に前記端子部を押し込む押し込み方向と前記端子部が前記底面部に対して突出する前記突出方向とを一致させることができるため、前記電気接続箱を前記外部機器と接続させるための移動方向を明確にできる。このため外部機器に設けた外部装着部に前記端子部を装着させる場合に、前記端子部が突出する方向に前記筐体を移動させればよく、前記端子部を前記外部装着部に対して容易に接続することができる。
【００１４】
また、前記バスバホルダがスライドするスライド方向と前記突出方向とが一致するため、例えば前記端子部が前記外部装着部に対して装着できない位置で前記電気接続箱を前記突出方向に移動させた場合に、前記端子部に作用する外力により前記バスバホルダが収納姿勢になるようにスライドさせることができる。これにより、装着できない位置で誤って外部機器に電気接続箱を装着しようとした場合や、運搬中に誤って突出状態となった場合などに、前記バスバが他の部材と干渉して損傷することを防止できる。
【００１５】
またこの発明の態様として、前記バスバホルダを前記収納姿勢で仮固定する収納姿勢仮固定部と、前記バスバホルダの前記収納姿勢での仮固定を解除する仮固定解除部が備えられてもよい。
【００１６】
前記収納姿勢仮固定部とは、例えば前記筐体の一部に対して前記バスバホルダを嵌合や係止させることにより、前記バスバホルダを前記収納姿勢で仮固定する構成や、別部材を用いて前記バスバホルダを前記筐体に対して仮固定する構成を含む。
【００１７】
この発明により、例えば運搬中において前記バスバホルダを前記収納姿勢で仮固定することができるため、前記バスバホルダがスライドして意図せずに前記端子部が前記開口部を貫通してする突出姿勢となることを防止し、前記端子部が他部材と干渉することを防止できる。また、前記端子部を前記外部機器に接続する場合などには、仮固定を解除して前記バスバホルダを突出姿勢とすることができるため、確実に前記端子部を接続することができる。
【００１８】
またこの発明の態様として、前記バスバホルダを前記突出姿勢で固定する突出姿勢固定部が備えられてもよい。  
この発明により、前記突出姿勢で前記バスバホルダを固定できるため、前記外部機器に対して接続する場合や接続された場合に、意図しない外力の作用により前記バスバホルダがスライドして前記収納姿勢となることを防止できる。したがって、前記端子部を確実に前記外部機器に接続できる。
【００１９】
またこの発明の態様として、前記開口部が、前記筐体を構成する底面に形成されてもよい。  
この発明により、前記筐体を下方に移動させて、前記突出姿勢である前記端子部を前記外部機器に接続することができ、作業性を向上させることができる。
【００２０】
またこの発明の態様として、前記バスバが、前記開口部における幅方向に沿って複数配置され、複数配置された前記バスバの少なくとも一つに、前記幅方向に曲がった屈曲部が備えられてもよい。
【００２１】
上述の幅方向に曲がったとは、前記幅方向に隣り合う前記バスバに対して、接近するように、又は離反するように屈曲する場合や、幅方向と交差する方向に屈曲する場合を含む。
【００２２】
この発明により、前記バスバホルダが突出姿勢である場合において、前記開口部から突出する前記端子部を、外部機器に設けられた前記外部装着部の配置位置に対応させる位置に配置させることができる。すなわち、前記バスバホルダを別設計することなく、前記端子部を接続する外部機器の種類によって異なる位置に配置された外部装着部に対応させることができるとともに、製造コストを削減できる。
【００２３】
またこの発明の態様として、前記バスバは、前記バスバホルダがスライドするスライド方向にのみ延びてもよい。  
この発明によると、前記バスバを曲げ加工する必要がなく、容易に前記バスバを製造し前記バスバホルダに保持させることができるため、製造工程を簡略化できるとともに、製造コストを削減できる。
【００２４】
またこの発明の態様として、前記バスバが、前記開口部が形成される開口面に沿って延びる展延部が備えられ、該展延部が延びる展延方向、及び、前記バスバホルダがスライドするスライド方向に直交する直交方向から視てＬ字型に形成されてもよい。  
上述の開口面に沿って延びるとは、前記展延部が前記開口面に対して平行となるように展延している場合や、前記開口面に対して傾斜するように展延している場合を含む。
【００２５】
この発明によると、前記突出方向に対して交差する前記展延部を前記バスバホルダに保持させることができるため、前記バスバを安定した状態で前記バスバホルダに保持させることができる。また、前記バスバが前記突出方向に対して屈曲しているため、前記端子部を前記外部機器に接続する場合に生じる応力を拡散することができる。
【００２６】
またこの発明の態様として、前記展延部に、前記バスバホルダがスライドするスライド方向に沿って起立した起立部が設けられてもよい。  
この発明によると、例えば、前記バスバが前記直交方向から視てＬ字状に形成されている場合と比べて、前記バスバに作用する応力を分散することができる。また、仮に前記開口面に対する前記バスバホルダの高さが、前記バスバが前記直交方向から視てＬ字状に形成した場合と同じである場合に、前記バスバの展延部に前記起立部を設けることで、前記バスバを保持する前記バスバホルダの一部分の高さを抑えることができ、コンパクト化を図ることができる。これにより、前記バスバホルダが占める空間の体積を削減でき、削減した空間を前記バスバが熱を放熱するための放熱空間として利用できる。
【００２７】
またこの発明の態様として、前記起立部に、前記開口面に沿って伸展された第二展延部が設けられてもよい。  
この発明により、前記展延部及び前記第二展延部を前記バスバホルダに保持させることができるため、より安定して前記バスバを前記バスバホルダに保持させることができる。
【００２８】
またこの発明の態様として、前記バスバホルダに、前記バスバにおける前記端子部よりも他端側の少なくとも一部を覆うように保持するバスバ保持部が備えられてもよい。  
この発明により、前記バスバにおける前記端子部よりも他端側を確実に保持することができるとともに、前記バスバ保持部が前記バスバにおける前記端子部の他端側を補強することができるため、前記端子部を前記外部機器に接続する際に生じる応力による前記バスバの損傷を防止できる。
【００２９】
またこの発明の態様として、前記バスバホルダは、前記バスバにおける前記端子部の他端側を、外周全周にわたって囲繞するとともに、前記突出姿勢において前記開口部が形成された開口面を挿通可能に形成されたバスバカバー部が備えられてもよい。
【００３０】
この発明によると、前記端子部を確実に保護することができるとともに、前記端子部を補強することができる。これにより、前記端子部を確実に前記外部機器に装着することができるとともに、装着状態において意図しない外力が作用しても前記端子部を保護することができる。
【００３１】
またこの発明の態様として、前記スライド支持部は、前記バスバホルダを支持する支持部本体と、前記端子部を前記開口部に案内する案内部とで一体に構成され、前記支持部本体と前記案内部とが所定の間隔を隔てて配置されてもよい。
【００３２】
この発明により、前記支持部本体と前記案内部との間に空間を設けることができるため、例えばこの空間に対応する前記開口面に電子機器類や回路を配策することができ、設計の自由度を向上させることができる。
【００３３】
またこの発明の態様として、前記支持部本体を前記筐体に固定する本体固定部と、前記案内部を前記筐体に固定する案内固定部とが備えられ、前記開口部が形成される開口面に対する前記本体固定部の高さが、前記開口面に対する前記案内固定部の高さよりも大きく構成されてもよい。
【００３４】
前記本体固定部及び前記案内固定部は、例えば前記筐体の構成する前記開口面などに対して直接的に固定されている場合や、他の部材を介して前記筐体に間接的に固定されている場合を含む。
【００３５】
この発明により、所定の間隔を隔てて配置された前記支持部本体と前記案内部とをそれぞれ個別に固定できるため、前記支持部本体と前記案内部を所定の位置で確実かつ強固に固定できる。このため、前記バスバホルダを前記支持部本体に対して安定してスライドさせることができるとともに、開口部に対して前記端子部を所定の位置まで突出するようにスライドさせることができ、前記端子部をより確実に前記外部機器に装着することができる。
【００３６】
また、前記開口部が形成される開口面に対する前記本体固定部の高さが、前記開口面に対する前記案内固定部の高さよりも大きく構成されることにより、前記支持部本体に対して前記バスバホルダを前記所定の方向に力を作用させてスライドさせる場合であっても、スライド方向以外の意図せぬ外力の作用により、前記支持部本体が前記本体固定部を支点として、前記案内部に対して前記支持部本体が配置されている方向に動くことを抑制でき、より確実に前記バスバホルダをスライドさせることができる。
【００３７】
またこの発明の態様として、前記筐体の外部に、前記スライド支持部に対する前記バスバホルダのスライドを操作する操作部が備えられてもよい。  
前記操作部は、前記筐体の内部又は外部に備えられている場合、前記バスバホルダのスライドを直接的又は間接的に操作する構成を含む。
【００３８】
この発明により、前記バスバホルダをスライドさせるために前記バスバホルダを直接触る必要がなくなるため、意図せずに前記バスバに触れる可能性を低減でき、前記バスバが汚染や損傷を防止できる。  
また、例えば前記操作部が前記筐体の外部に備えられた場合には、前記操作部の操作を容易に行うことができるため、前記電気接続箱の設置の作業効率を向上させることができる。
【発明の効果】
【００３９】
この発明により、外部機器と電気的に接続させるバスバの端子部が他の部材と干渉することを防止できる電気接続箱、電気接続箱に内蔵されるバスバ付バスバホルダ及びバスバを保持するバスバホルダを提供することができる。
【図面の簡単な説明】
【００４０】
【図１】車両における電気接続箱とインバータとの構成図。
【図２】電気接続箱とインバータの概略分解斜視図。
【図３】底部に固定されたスライド機構を前方上方から視た概略斜視図。
【図４】底面部及びスライド機構を前方上方から視た概略分解斜視図。
【図５】スライド機構を後方下方から視た概略分解斜視図。
【図６】バスバの正面図。
【図７】バスバホルダの説明図。
【図８】バスバホルダの説明図。
【図９】スライド支持部の説明図。
【図１０】スライド支持部の説明図。
【図１１】収納姿勢と突出姿勢の説明図。
【図１２】収納姿勢と突出姿勢の説明図。
【図１３】収納姿勢と突出姿勢の説明図。
【図１４】操作部の説明図。
【発明を実施するための形態】
【００４１】
以下、インバータ１００に接続する電気接続箱１と、電気接続箱１に内蔵されたスライド機構２及びスライド機構２を構成するバスバホルダ３０について、図１〜図１０に基づき説明する。
【００４２】
図１は電気自動車Ｃにおける電気接続箱１とインバータ１００の構成図を示し、図２はインバータ１００に接続する電気接続箱１の概略分解斜視図を示し、図３は底面部１３に固定されたスライド機構２を前方上方から視た概略斜視図を示し、図４は底面部１３及びスライド機構２を前方上方から視た概略分解斜視図を示し、図５はスライド機構２を後方下方から視た概略分解斜視図を示し、図６はバスバ２０の正面図を示す。
【００４３】
ここで、図２において、箱本体１０の長手方向を長手方向Ｌとし、箱本体１０の短手方向を幅方向Ｗとし、上下方向を高さ方向Ｈとする。また、図２において長手方向Ｌの左側（図２において左手前側）を先端側、右側（図２において右奥側）を後端側とし、それぞれ＋Ｌ側及び−Ｌ側とする。同様に図２において幅方向Ｗの右側を＋Ｗ側、左側を−Ｗ側とし、図２における高さ方向Ｈの上側を上方、下側を下方とし、それぞれ＋Ｈ側及び−Ｈ側とする。この方向は図３乃至図１４において同様とする。
【００４４】
図７及び図８はバスバホルダ３０の説明図を示し、図９及び図１０はスライド支持部４０の説明図を示す。  
以下、図７〜図１０について詳述する。図７（ａ）はバスバホルダ３０を＋Ｗ側から視た側面図を示し、図７（ｂ）はバスバホルダ３０の底面図を示し、図８（ａ）は図７（ａ）におけるＡ−Ａ矢視断面に対応する断面図を示し、図８（ｂ）は図７（ｂ）におけるＢ−Ｂ矢視断面に対応する断面図を示す。なお、図８（ａ）及び図８（ｂ）においてはバスバ２０を装着したバスバホルダ３０（バスバ付ホルダ３）を示している。
【００４５】
図９（ａ）はスライド支持部４０の平面図を示し、図９（ｂ）はスライド支持部４０を＋Ｗ側から視た側面図を示し、図１０（ａ）は図９（ａ）におけるＣ−Ｃ矢視断面図を示し、図１０（ｂ）は図９（ｂ）におけるＤ−Ｄ矢視断面図を示す。
【００４６】
電気自動車Ｃは、図１に示すように、例えば家庭用電源から直流電流が充電されたバッテリー２００と、直流電流を交流電流に変換するインバータ１００とが電気接続箱１を介して電気的に接続されている。このインバータ１００で変換された交流電流によりモータ３００を駆動させている。
【００４７】
電気接続箱１は、図２に示しように、図示しない電気部品や電子回路などが搭載された箱本体１０と、箱本体１０の内部に備えられたスライド機構２とで構成されている。  
箱本体１０は、図２に示すように、ロアカバー１１と、ロアカバー１１の上方を覆うアッパカバー１２とで構成されている。
【００４８】
ロアカバー１１は、図２に示すように、図示しない電気回路が配索された底面部１３と、底面部１３の外周縁から上方に突出する側壁部１４とで構成されており、底面部１３にはスライド機構２が固定されている。
【００４９】
スライド機構２（正確にはスライド機構２を構成するスライド支持部４０）を固定する底面部１３には、図３及び図４に示すように、後述する案内部４２の一部分が挿通する開口部５０と、バスバ付ホルダ３を固定する被固定部６０が設けられている。
【００５０】
開口部５０は、後述する案内部４２を挿通可能に構成された、底面部１３を高さ方向Ｈに貫通させた平面視矩形状の開口で、開口部５０における−Ｌ側には、＋Ｌ側に向かうに伴って下方に傾斜する傾斜部５１を有する。なお、本実施形態において、底面部１３に対する傾斜部５１の傾斜角度は４５度としている。
【００５１】
被固定部６０は、図４に示すように、幅方向Ｗに所定の間隔を隔てて配置された本体側固定部６１と、本体側固定部６１の＋Ｌ側に設けられたスライド側固定部６２とで構成されている。
【００５２】
本体側固定部６１は、略円柱状に形成されており、上面の中央部分には、ボルトＢを螺合できる第一固定孔６１ａが形成されている。  
スライド側固定部６２は、開口部５０の幅方向Ｗの外側に設けられており、本体側固定部６１と同様に、ボルトＢを螺合できる第二固定孔６２ａを有する。
【００５３】
底面部１３に固定されるスライド機構２は、図３〜図５に示すように、バスバ２０と、バスバ２０を保持するバスバホルダ３０と、底面部１３に固定されるとともに、高さ方向Ｈに沿ってバスバホルダ３０をスライド可能に支持するスライド支持部４０とで構成されている。
【００５４】
バスバ２０は、図４及び図６に示すように、所定の幅で構成された導電性を有する金属製の板状体であり、その基本構成は、後述するバスバホルダ３０に保持された状態において、底面部１３と平行になるように形成された展延部２１と、展延部２１の先端（＋Ｘ側端部）から斜め下方に沿って延出する先端延出部２２と、先端延出部２２の先端から下方に向けて延出する先端部２３と、展延部２１の後端（−Ｘ側端部）から上方に立設する起立部２４と、起立部２４の上端から−Ｘ方向に向かって延展する第二展延部２５とで構成されている。
【００５５】
バスバ２０の先端側に配置される先端部２３は、幅方向Ｗにおける中央部分において板厚方向（長手方向Ｌ）に貫通する先端貫通孔２３ａが設けられている。また、バスバ２０の基端側（−Ｘ側）に設けられている第二展延部２５は、図４に示すように、幅方向Ｗの中央部分において板厚方向（高さ方向Ｈ）に貫通する基端貫通孔２５ａが形成されている。
【００５６】
先端貫通孔２３ａは、所定の内径を有する円形状の貫通孔であり、インバータ１００に設けられたバスバ接続部１０１に対して先端部２３を装着した状態において、インバータ１００の内部に設けられた図示しない電子部品や電子回路と電気的に接続する端子部に対応する。  
基端貫通孔２５ａは、ボルトＢを挿通可能な内径で形成された円形の貫通孔である。
【００５７】
本実施形態において、このように構成されているバスバ２０は、幅方向Ｗに沿って３本並んで儲けられており、これらのバスバ２０を幅方向Ｗにおける−Ｗ側からバスバ２０Ａ，２０Ｂ，２０Ｃとする。
【００５８】
これらのバスバ２０のうち、幅方向Ｗの外側に配置されているバスバ２０Ａ及びバスバ２０Ｃは、図６に示すように、先端延出部２２と先端部２３と連結部位において、幅方向Ｗの外側に湾曲した湾曲部２６が設けられており、バスバ２０Ａ及びバスバ２０Ｃにおける先端部２３が、バスバ２０Ｂにおける先端部２３に対して離反するように形成されている。
【００５９】
なお、本実施形態では、バスバ２０Ａ及びバスバ２０Ｃに湾曲部２６を設けたが、すべてに湾曲部２６を設けてもよいし、例えばバスバ２０Ｃにのみに設けてもよく、適宜設計することができる。これにより、バスバ２０をバスバ接続部１０１に対応させたバスバとすることができる。
【００６０】
このように構成された３本のバスバ２０を保持するバスバホルダ３０は、ホルダ本体３１と、バスバの先端側を保護する先端側保護部３２とで構成している。  
ホルダ本体３１は、図７及び図８に示すように、側面視で略Ｌ字状に形成されている。このホルダ本体３１は、平面視で矩形状に形成された基底部３１１と、基底部３１１の先端部分が（＋Ｘ側端部）斜め下方に向けて突出する先端突出部３１２と、基底部３１１の−Ｌ側端部から立設している立設部３１３と、立設部３１３の上端部分から後方に突出するバスバ固定部３１４とで一体に構成されている。
【００６１】
基底部３１１は、幅方向Ｗに対する長さがバスバ２０の３本分の横幅よりも長く、長手方向Ｌに対する長さが展延部２１の長手方向Ｌに対する長さと略同じである平面視略矩形状の板状体で構成されている。
【００６２】
先端突出部３１２は、水平に設けられた基底部３１１の先端から斜め下方に突出している。なお、本実施形態における基底部３１１に対する先端突出部３１２の角度は４５度である。  
立設部３１３は、基底部３１１の−Ｌ側端部から上方に立設する壁面であり、高さ方向Ｈに対する長さが起立部２４における高さ方向Ｈに対する長さと略同じとなるように構成されている。
【００６３】
また、立設部３１３の背面には−Ｌ側に突出するスライド補助部３５が設けられている。このスライド補助部３５は、中央部分において幅方向Ｗに対して所定の間隔を隔てて設けられた中央側被案内部３５１と、立設部３１３における幅方向Ｗの両端部に設けられた側部側被案内部３５２とで構成されている。
【００６４】
中央側被案内部３５１は、図７（ｂ）に示すように、底面視において略Ｔ字状に形成されており、側部側被案内部３５２は、底面視において先端（−Ｌ側端部）が幅方向Ｗの内側に向けて突出する鉤状に形成されている。なお、中央側被案内部３５１及び側部側被案内部３５２はともに高さ方向Ｈに沿って形成されている（図５参照）。
【００６５】
バスバ固定部３１４は、立設部３１３の上端から−Ｌ側に突出する中実の筐体であり、上面には、ボルトを螺合可能なネジ止用穴３１４ａが幅方向Ｗに沿って等間隔に並んで３つ設けられている（図４参照）。また、バスバ固定部３１４の両側面には仮固定部３３が設けられている。
【００６６】
バスバ固定部３１４の両側面に設けられた仮固定部３３は、後述するスライド支持部４０Ａと共働して、スライド支持部４０に対してバスバホルダ３０を所定の状態で仮固定するための仮固定部である。  
この仮固定部３３は、図８（ｂ）に示すように、−Ｚ側に向かうに伴って幅方向Ｗの内側にやや傾いて形成された上方板３３１と、上方板３３１の下端から高さ方向Ｈに沿って延出する下方板３３２と、上方板３３１と下方板３３２との連結部分のやや下方において幅方向Ｗの内側に延出する連結部３３３とで構成されている。
【００６７】
上方板３３１と下方板３３２について詳述する。上方板３３１は、図８（ｂ）におけるα部に示すように、高さ方向Ｈに対して幅方向Ｗの外側に向けて交差する板状体であり、高さ方向Ｈに沿って延びる下方板３３２と一体に構成されている。また、上方板３３１と下方板３３２とは板厚及び幅が等しく構成されている。  
すなわち、上方板３３１と下方板３３２とは背面視において、『く』の字状に形成された一枚の板状体で構成されている。
【００６８】
上方板３３１の上端は、幅方向Ｗ外側にわずかに突出する仮固定解除操作部３３４が設けられており、下方板３３２の下端には、図８（ｂ）におけるβ部に示すように、幅方向Ｗの内側に突出する係止凸部３３５が設けられている。  
連結部３３３は、先端突出部３１２とバスバ固定部３１４の側面とを連結している。
【００６９】
このように構成された仮固定部３３は、仮固定解除操作部３３４に対して幅方向Ｗの内側に向けた外力を作用させることにより、上方板３３１と下方板３３２との連結部分を支点として、下方板３３２の下端側を幅方向Ｗの外側に向けて移動させることができる。すなわち、係止凸部３３５を幅方向Ｗの外側に向けて移動させることができる。
【００７０】
先端突出部３１２の先端から下方に延出するように設けられた先端側保護部３２は、図４、図５、図７及び図８に示すように、所定の板厚を有する平板であり、背面が先端突出部３１２の先端から下方に向けて延設されるように構成されている。
【００７１】
以下、先端側保護部３２について、図７及び図８に基づいて詳述する。  
先端側保護部３２は、高さ方向Ｈに対する長さが先端部２３よりも短く構成されているとともに、幅方向Ｗに対する長さがバスバ２０の横幅よりも一回り長くなる平面視矩形状に形成されている（図８（ａ）参照）。また、先端側保護部３２の板厚は、図８（ａ）に示すように、先端部２３の板厚のおよそ２．５倍であり、先端側保護部３２の板厚方向の中央部分にはバスバ２０の板厚及び横幅で構成された挿通孔Ｕが、高さ方向Ｈに貫通している。
【００７２】
この挿通孔Ｕは、先端側保護部３２の内周面において幅方向Ｗに対して所定の間隔を隔てて設けられた２本の区切壁３２１によって３つに区切られている。なお、区切られて形成されたそれぞれの挿通孔を、−Ｗ側からバスバ挿通孔ｕ１，ｕ２，ｕ３とする。
【００７３】
なお、中央に配置されたバスバ挿通孔ｕ２の幅方向Ｗの長さは、バスバ２０の幅方向Ｗの長さと略等しくなるように構成されており、バスバ挿通孔ｕ１及びバスバ挿通孔ｕ３の幅方向Ｗの長さは、バスバ２０の幅方向Ｗの長さよりも広くなるように構成されている
【００７４】
また、先端側保護部３２には、図７（ｂ）に示すように、底面視において略Ｔ字状に形成された端子被案内部３６が幅方向Ｗの中央部分における上端部分から＋Ｌ側に突出するように設けられている。
【００７５】
この端子被案内部３６は、底面視において、幅方向Ｗに沿って所定の間隔を隔てたスライド補助部３５の中央に対応する位置に、スライド補助部３５が突出する方向と逆向き（＋Ｌ側）に向かって突出している（図７（ｂ）参照）。
【００７６】
また、端子被案内部３６の高さ方向Ｈにおける配置場所は、スライド補助部３５の下端に比べて下方側に配置されている。また、スライド補助部３５が立設部３１３において高さ方向Ｈに沿って設けられているのに対し、先端側保護部３２の正面における上端部分にのみ設けられている。
【００７７】
このように構成されたバスバホルダ３０は、ホルダ本体３１の上面側にバスバ２０を配置するためのバスバ配置部７０を形成する壁３８が設けられている。  
壁３８は、ホルダ本体３１の側面を形成する側壁３８１と、ホルダ本体３１の幅方向Ｗ対して３等分するように立設された２つの間切り壁３８２とで構成されている。
【００７８】
間切り壁３８２は、ホルダ本体３１の上面側において長手方向Ｌに沿って形成されており、先端側は挿通孔Ｕを区切っている区切壁３２１と連結している。すなわち、間切り壁３８２同士は、バスバ２０の横幅と略等しい間隔を隔てて２つ配置されている。なお、立設部３１３の背面に設けられた側部側被案内部３５２は、間切り壁３８２に対応する位置に設けられている。
【００７９】
このように設けられた壁３８により、ホルダ本体３１の上面を幅方向Ｗに対して３等分されたバスバ配置部７０が形成されている。なお、バスバ配置部７０の横幅は上述のように、バスバ２０の横幅と略等しくなるように構成されている。
【００８０】
このように構成されたバスバホルダ３０に対してバスバ２０を配置させることができる。  
より詳しくは、ホルダ本体３１の上面において壁３８で区切られたそれぞれのバスバ配置部７０において、基底部３１１に対応する箇所に展延部２１が配置される。これにより、先端延出部２２及び第二展延部２５は先端突出部３１２及びバスバ固定部３１４に対応する位置に配置され、起立部２４は立設部３１３と当接するように配置される。
【００８１】
また、バスバ２０をバスバ配置部７０に配置することにより、それぞれの基端貫通孔２５ａがネジ止用穴３１４ａと対応するように配置される。このため、図示しないボルトを介して基端貫通孔２５ａとネジ止用穴３１４ａを螺合することで、バスバ２０をバスバホルダ３０に対して固定できる。  
なお、このようにバスバホルダ３０に固定された第二展延部２５は、例えば底面部１３に配索された図示しない電子回路等と電気的に接続させるが、ここではその説明を割愛する。
【００８２】
また、展延部２１をバスバ配置部７０において基底部３１１と対応する位置に配置されるように、バスバ２０を下方に下すことで、先端側保護部３２に形成されたバスバ挿通孔ｕ１，ｕ２，ｕ３に対してバスバ２０Ａ，２０Ｂ，２０Ｃにおける各先端部２３が挿通され、先端側保護部３２の下端から先端貫通孔２３ａが出る程度に先端部２３が突出することとなる（図８参照）。
【００８３】
このようにバスバ２０をバスバ配置部７０に配置することで、バスバ２０における下面側及び側面をホルダ本体３１と壁３８とで覆うことができるため、バスバ２０を安定して保持できるとともに、バスバ２０に対して意図しない外力が作用した場合であってもバスバ２０が屈曲することを防止できる。
【００８４】
なお、本実施形態ではバスバ配置部７０は、バスバ２０をバスバホルダ３０に３本配置できるように形成されているが、配置するバスバ２０の本数に応じて、壁３８を立設する位置やその数、またバスバ２０の大きさや横幅などを適宜変更できる。
【００８５】
スライド支持部４０は図９及び図１０に示すように、側面視でＬ字状に形成された支持基部４１と、支持基部４１の先端側に設けられた案内部４２と、支持基部４１の−Ｌ側に立設された支持部本体４３とで一体に構成されている。
【００８６】
支持基部４１は、基部底面４１１と、基部底面４１１の先端と連結する基部先端部４１２と、基部側壁４１３とで構成されており、基部底面４１１の先端側にはスライド支持部４０を底面部１３に固定するためのスライド側固定部４６が形成されている。
【００８７】
基部底面４１１は、横幅がバスバホルダ３０の横幅よりも長く形成された矩形状の薄板である。  
基部先端部４１２は基部底面４１１に対して斜め下方に突出した板状体である。なお、基部底面４１１に対する基部先端部４１２の角度は、基底部３１１に対する先端突出部３１２の角度と等しい。すなわち、基部底面４１１に基底部３１１を配置した場合に、先端突出部３１２は基部先端部４１２に支持されることとなる。
【００８８】
基部側壁４１３は、基部底面４１１及び基部先端部４１２の幅方向Ｗの端部から立設された、側面視略Ｌ字状に形成された側壁である。互いに対向する基部側壁４１３同士は、基部底面４１１の横幅と等しい長さ隔てて立設している。
【００８９】
基部底面４１１の先端側に設けられたスライド側固定部４６は、支持基部４１の横幅よりも長く、支持基部４１の板厚よりも一回り厚く形成された薄板であり、スライド側固定部４６の底面が支持基部４１の底面と面一となる高さに設けられている。また、スライド側固定部４６における幅方向Ｗの外側には、ボルトＢで螺合可能なスライド側固定孔４６ａが、高さ方向Ｈに貫通して設けられている。
【００９０】
案内部４２は、図９（ａ）に示すように、平面視において、−Ｌ側が開口した略矩形状に形成された中空状の角柱体であり、正面を形成するスライド正面壁４２１と、側面を形成する一対のスライド側壁４２２と、スライド側壁４２２から幅方向Ｗの内側に突出するスライド背壁４２３とで構成されている。
【００９１】
スライド正面壁４２１、スライド側壁４２２、スライド背壁４２３は、高さ方向Ｈに対する長さが先端側保護部３２の約１．５倍の長さを有しており、またスライド正面壁４２１の幅方向Ｗの長さは、先端側保護部３２の幅方向Ｗの長さよりも一回り大きく構成されている。
【００９２】
このスライド正面壁４２１の幅方向Ｗの中央部分には、＋Ｌ側に突出するスライド側案内部４２４が高さ方向Ｈに沿って設けられている。そして、スライド側案内部４２４には、平面視において、先端側保護部３２に設けられた平面視略Ｔ字形状の端子被案内部３６よりもわずかに大きな相似形状の案内側貫通孔４２５が設けられている。
【００９３】
スライド側壁４２２はスライド正面壁４２１の幅方向Ｗの両端部から−Ｌ側に設けた側壁であり、長手方向Ｌに対する長さが先端側保護部３２の板厚よりもわずかに長くなるように構成されている。  
スライド背壁４２３は、基部先端部４１２ｂの先端とスライド側壁４２２の−Ｌ側端部とを連結する壁部であり、幅方向Ｗに対して基部底面４１１の横幅と等しい間隔を隔てて設けられている。
【００９４】
すなわち、スライド正面壁４２１とスライド側壁４２２，４２２とスライド背壁４２３，４２３とで構成された案内部４２は、−Ｌ側に支持基部４１の横幅と同じ長さの開口を有するとともに、上下方向に貫通するように構成されている。また、案内部４２の内周面は、先端側保護部３２の外周面と同じ大きさになるように構成されている。
【００９５】
このように構成された案内部４２は、支持基部４１の先端側に設けられたスライド側固定部４６を貫通するように構成されている。なお、スライド側固定部４６に設けられたスライド側固定部４６は、スライド側壁４２２の幅方向Ｗの外側に配置されている。
【００９６】
一端側に案内部４２が設けられた支持基部４１の他端側には、図９（ｂ）に示すように、中空状に形成された支持部本体４３が設けられている。すなわち、支持部本体４３は案内部４２に対して所定の間隔を隔てて配置されている。
【００９７】
この支持部本体４３は、背面４３１が上面４３２よりも上方に突出した平面視略矩形状の筐体であり、底面側が開口している。また、案内部４２の正面側には、高さ方向Ｈに沿って貫通した本体側案内部４４が形成されている。
【００９８】
この本体側案内部４４は、幅方向Ｗの中央部分において所定の間隔を隔てて２つ並んで形成された中央案内部４４１と、本体側案内部４４の幅方向Ｗの外側に形成された側壁側案内部４４２とで構成されている。
【００９９】
中央案内部４４１は、図９（ａ）に示すように、平面視においてホルダ本体３１に設けられた平面視略Ｔ字状の中央側被案内部３５１よりも一回り大きな相似形状をした貫通孔である。  
同様に、側壁側案内部４４２は平面視においてホルダ本体３１に形成された平面視鉤状の側部側被案内部３５２よりも一回り大きな相似形状をした貫通孔である。
【０１００】
また支持部本体４３の側面には、第一係止支持部４５４５が設けられている。
【０１０１】
固定案内部４５は、図１０に示すように、長手方向Ｌに対して所定間隔を隔てて配置された挟持片４５１，４５１と、挟持片４５１，４５１との間に形成される被係止溝４５２とで構成されている。
【０１０２】
挟持片４５１，４５１の間隔は背面４３１の幅と同じ長さとなるように構成されている。なお、挟持片４５１，４５１の下端は互いに連結している。  
被係止溝４５２は、図９（ｂ）及び図１０（ｂ）に示すように、支持部本体４３における側面に設けられた凹状の柱体であり、上端が支持部本体４３の背面の上端と面一となるように、上方に突出するように形成され、溝の深さが係止凸部３３５の突出量（幅方向Ｗに対する長さ）と同じとなるように窪ませて形成されている。  
【０１０３】
この被係止溝４５２の溝底には、図１０（ｂ）におけるγ部及びδ部に示すように、所定の位置において、被係止溝４５２の溝の深さと同じだけ幅方向Ｗの外側に突出した第一係止部４５３と、第一係止支持部４５４と、第二係止部４５５とが備えられている。  
第一係止部４５３は、被係止溝４５２における上端から下方側に配置されており、その上面は、下方に向かうに伴い幅方向Ｗの外側に向かうようテーパ面が形成されている。  
【０１０４】
第一係止支持部４５４は、係止凸部３３５の高さと同じ長さだけ下方側に配置されており、その底面は、下方に向かうに伴い幅方向Ｗの内側に向かうようテーパ面が形成されている。  
第一係止支持部４５４は、先端側保護部３２の底面とスライド補助部３５５の上面との垂直距離と同じ長さだけ第一係止部４５３から下方側に配置されており、その上面は、下方に向かうに伴い幅方向Ｗの外側に向かうようテーパ面が形成されている。なお、第一係止支持部４５４の底面と挟持片４５１の下端との垂直距離はスライド補助部３５５の高さよりもわずかに大きく構成されている。
【０１０５】
また、背面４３１の幅方向Ｗ外側端部には、−Ｌ側に突出する本体側固定部４７が２つ設けられている。  
この本体側固定部４７は、図９（ａ）に示すように、高さが支持部本体４３（上面４３２）の高さの略半分となる位置において−Ｌ側に突出しているとともに、平面視において略半円状に形成されている。また、本体側固定部４７には上下方向に本体側貫通孔４７ａが形成されている。
【０１０６】
このように構成されたバスバ２０、バスバホルダ３０及びスライド支持部４０を組み付けることでスライド機構２を製造することができる。  
以下、簡単にスライド機構２の製造方法を説明する。
【０１０７】
初めに、バスバ２０をバスバ配置部７０に配置して固定して製造されたバスバ付ホルダ３を、バスバ固定部３１４及び先端側保護部３２が、スライド支持部４０を構成する固定案内部４５及び案内部４２の上方に配置されるように、バスバ付ホルダ３の方向をスライド支持部４０に合わせて配置する。そして、下方板３３２が挟持片４５１，４５１の間に挿入するようにバスバ付ホルダ３をスライド支持部４０に向けて下方に移動させる。
【０１０８】
これにより、係止凸部３３５が第一係止部４５３と干渉して、下方板３３２の下端に幅方向Ｗの外側への外力が作用して、連結部３３３を支点として下方板３３２が幅方向Ｗの外側に向けて開き、係止凸部３３５が第一係止部４５３と第一係止支持部４５４との間で係止され、バスバ付ホルダ３をスライド支持部４０に組み付けることができる（図１１（ａ）及び図１２（ａ）参照）。  
【０１０９】
そして、それぞれスライド側固定部６２及び本体側固定部６１の上に配置されたスライド側固定部４６及び本体側固定部４７に対して、スライド側固定部４６と第二固定孔６２ａ及び本体側貫通孔４７ａと第一固定孔６１ａに挿通させたＢを螺合することで、スライド機構２を底面部１３に固定することができる。
【０１１０】
このようにして底面部１３に固定したスライド機構２は、図１１（ａ）及び図１２（ａ）に示すように、先端側保護部３２に囲繞された先端部２３の先端部分が、底面部１３の底面よりも箱本体１０の内部側に配置されている。このように先端部２３が箱本体１０の内部に収容された姿勢を収納姿勢Ｓとする。
【０１１１】
この収納姿勢Ｓにおいては、先端部２３が箱本体１０の内部に収容されているため、箱本体１０の運搬中などにおいて、先端部２３が外部の他の部材などと干渉することを防止できるため、先端部２３が損傷することを防止できる。  
なお、この収納姿勢Ｓにおいて、バスバ付ホルダ３７（バスバ付ホルダ３７１及びバスバ付ホルダ３７２）は、本体側案内部４４（中央案内部４４１及び側壁側案内部４４２）と緩く嵌合し、端子被案内部３６はスライド側案内部４２４と緩く嵌合している。
【０１１２】
次に、先端部２３が箱本体１０の内部に収容された収納姿勢Ｓから、先端部２３が箱本体１０の外部に突出した姿勢（以後、突出姿勢Ｔ）への移行について、図１１及び図１２に基づいて簡単に説明する。
【０１１３】
図１１（ａ）及び図１２（ｂ）に示すように、先端部２３が箱本体１０に収容された収納姿勢Ｓにおいて、支持部本体４３３と支持部本体４３４との間に係止凸部３３５が係止されていることにより、バスバホルダ３０はスライド支持部４０の上方において仮固定されている。
【０１１４】
この状態において、図１３（ａ）に示すように、仮固定解除操作部３３４に対して幅方向Ｗの内側に向けて外力Ｆを作用させることにより、連結部３３３を軸として上方板３３１がＷの内側に向けて移動することとなる。これにより、上方板３３１と一体に構成された下方板３３２は、先端（−Ｈ側端部）が幅方向Ｗの外側に向けて移動し、連結部３３３の先端に設けられた係止凸部３３５の係止を解除することができ、バスバホルダ３０を高さ方向Ｈに沿って下方に移動させることができる。
【０１１５】
このとき、本体側案内部４４に緩く嵌合されたバスバ付ホルダ３７が本体側案内部４４に案内されるため、バスバホルダ３０をスライド支持部４０に対してスムーズに下方に下げることができる。また、端子被案内部３６が案内側貫通孔４２５に沿って案内されることで先端側保護部３２に囲繞された起立部２４も高さ方向Ｈに沿って下方にスムーズに移動させることができる。
【０１１６】
そして、係止凸部３３５が支持部本体４３５の上面と当接することにより、係止凸部３３５に幅方向Ｗの外側への外力が作用し、係止凸部３３５が外向きに開くこととなる。これにより、係止凸部３３５が支持部本体４３５を超えることができ、バスバホルダ３０を下方側に移動させることができる。
【０１１７】
そして、図１１（ｂ）及び図１２（ｂ）に示すように、下方に移動させたバスバホルダ３０のバスバ固定部３１４の底面が上面４３２と当接する位置において、係止凸部３３５が本体側案内部４４５と係止することとなり、スライド支持部４０に対してバスバホルダ３０を突出姿勢Ｔで固定することができる。
【０１１８】
このようにバスバホルダ３０が突出姿勢Ｔの状態であるスライド機構２は、バスバ２０における先端貫通孔２３ａが被固定部６０を挿通して底面部１３の外部（下方）に突出しているため、先端貫通孔２３ａをインバータ１００に設けられたバスバ接続部１０１に挿入することができる。これより、箱本体１０とインバータ１００を電気的に接続させることができる。
【０１１９】
このように構成された電気接続箱１は、インバータ１００と電気的に接続する先端部２３（先端貫通孔２３ａ）が一端側に備えられたバスバ２０と、先端部２３が−Ｈ側に向けて突出するようにバスバ２０を保持するバスバホルダ３０と、先端貫通孔２３ａが挿通可能な被固定部６０を有する箱本体１０と、箱本体１０の内部に固定されるとともに、所定の方向に沿ってバスバホルダ３０をスライド可能に支持するスライド支持部４０とで構成され、バスバホルダ３０は、先端貫通孔２３ａが被固定部６０を貫通して外部に突出する突出姿勢Ｔと、先端貫通孔２３ａが箱本体１０の内部に収納された収納姿勢Ｓとの間でスライドすることにより、インバータ１００と電気的に接続させる先端部２３が運搬中に他の部材と干渉することを防止できる。
【０１２０】
詳述すると、バスバホルダ３０をスライドさせることで、突出姿勢Ｔにおいて被固定部６０を貫通して外部に突出した先端部２３を、箱本体１０の内部に収納することができるため、例えば電気接続箱１の運搬中などにおいて、先端部２３を箱本体１０内部に収納させ、バスバ２０が他の部材と干渉して損傷することを防止できる。
【０１２１】
また、先端部２３が突出する突出方向は、被固定部６０が形成される底面部１３に対して直交することにより、インバータ１００に設けたバスバ接続部１０１に先端部２３（先端貫通孔２３ａ）を押し込む押し込み方向と先端部２３（先端貫通孔２３ａ）が底面部１３に対して突出する突出方向とを一致させることができるため、電気接続箱１をインバータ１００と接続させるための移動方向を明確にできる。このためインバータ１００に設けたバスバ接続部１０１に先端貫通孔２３ａを装着させる場合に、先端貫通孔２３ａが突出する方向、すなわち−Ｈ側に箱本体１０を移動させればよく、先端貫通孔２３ａをバスバ接続部１０１に対して容易に接続することができる。
【０１２２】
また、バスバホルダ３０がスライドする高さ方向Ｈと底面部１３に対する先端部２３の突出方向とが一致するため、先端貫通孔２３ａがバスバ接続部１０１に対して装着できない位置で電気接続箱１を下方に向けて移動させた場合に、先端貫通孔２３ａに作用する外力によりバスバホルダ３０が収納姿勢Ｓになるようにスライドさせることができる。
【０１２３】
これにより、装着できない位置で誤ってインバータ１００に電気接続箱１を装着しようとした場合や、運搬中に誤って電気接続箱１が突出状態となった場合などに、バスバ２０が他の部材と干渉して損傷することを防止できる。
【０１２４】
さらにまた、バスバホルダ３０を収納姿勢Ｓで仮固定する仮固定部３３及び固定案内部４５と、バスバホルダ３０の収納姿勢Ｓでの仮固定を解除する仮固定解除操作部３３４が備えられていることにより、運搬中においてバスバホルダ３０を収納姿勢Ｓで仮固定することができるため、バスバホルダ３０がスライドして先端貫通孔２３ａが被固定部６０を貫通してする突出姿勢Ｔとなることを防止し、先端貫通孔２３ａが他部材と干渉することを防止できる。
【０１２５】
また、先端貫通孔２３ａをインバータ１００に接続する場合などには、仮固定を解除してバスバホルダ３０を突出姿勢Ｔとすることができるため、確実に先端貫通孔２３ａを接続することができる。
【０１２６】
さらにまた、仮固定部３３及び固定案内部４５により、バスバホルダ３０を突出姿勢Ｔで固定することができるため、インバータ１００に対して接続する場合や接続された場合に、意図せぬ外力が作用することにより、バスバホルダ３０がスライドして収納姿勢Ｓとなることを防止できる。したがって、先端貫通孔２３ａを確実にインバータ１００に接続できる。
【０１２７】
また、被固定部６０が、箱本体１０を構成する底面に形成されていることにより、箱本体１０を下方に移動させることにより、突出姿勢Ｔである先端貫通孔２３ａをインバータ１００に接続することができ、作業性が向上させることができる。
【０１２８】
また、バスバ２０が、被固定部６０における幅方向に沿って複数配置され、複数配置されたバスバ２０の少なくとも一つに、幅方向に曲がった湾曲部２６が備えられることにより、バスバホルダ３０が突出姿勢Ｔである場合において、被固定部６０から突出する先端貫通孔２３ａを、インバータ１００に設けられたバスバ接続部１０１の配置位置に対応させる位置に配置させることができる。すなわち、バスバホルダ３０を別設計することなく、インバータ１００の種類によって異なる位置に配置されたバスバ接続部１０１に対応させることができ、製造コストを削減できる。
【０１２９】
またバスバ２０が、被固定部６０が形成される底面部１３に沿って延びる展延部２１が備えられ、展延部２１が延びる長手方向Ｌ、及び、バスバホルダ３０がスライドする高さ方向Ｈに直交する直交方向から視てＬ字型に形成されることにより、突出方向に対して交差する展延部２１をバスバホルダ３０に保持させることができるため、バスバ２０を安定した状態でバスバホルダ３０に保持させることができる。また、バスバ２０が突出方向に対して屈曲しているため、先端貫通孔２３ａをインバータ１００に接続する場合に生じる応力を拡散することができる。
【０１３０】
さらにまた、展延部２１に、バスバホルダ３０がスライドする高さ方向Ｈに沿って起立した起立部２４が設けられることにより、例えば、バスバ２０が直交方向から視てＬ字状に形成されている場合と比べて、バスバ２０に作用する応力を分散することができる。
【０１３１】
また、仮に底面部１３に対するバスバホルダ３０の高さが、バスバ２０が直交方向から視てＬ字状に形成した場合と同じである場合に、バスバ２０の展延部２１に起立部２４を設けることで、バスバ２０を保持するバスバホルダ３０の一部分の高さを抑えることができ、コンパクト化を図ることができる。これにより、バスバホルダ３０が占める空間の体積を削減でき、削減した空間をバスバ２０が熱を放熱するための放熱空間として利用できる。
【０１３２】
さらにまた、起立部２４に、底面部１３に沿って伸展された第二展延部２５が設けられることにより、展延部２１に加えて第二展延部２５をバスバホルダ３０に保持させることができるため、より安定してバスバ２０をバスバホルダ３０に保持させることができる。
【０１３３】
また、バスバホルダ３０に、バスバ２０における先端貫通孔２３ａよりも他端側（上方側）の少なくとも一部、すなわち底面側及び背面側を覆うように保持するバスバ配置部７０が備えられることにより、バスバ２０における先端貫通孔２３ａよりも上方側を確実に保持することができるとともに、バスバ配置部７０がバスバ２０における先端貫通孔２３ａの他端側上方側を補強することができるため、先端貫通孔２３ａ（先端部２３）をインバータ１００に接続する際に生じる応力によるバスバ２０の損傷を防止できる。
【０１３４】
さらにまた、バスバホルダ３０は、バスバ２０における先端貫通孔２３ａの他端側（上方側）を、外周全周にわたって囲繞するとともに、突出姿勢Ｔにおいて被固定部６０が形成された底面部１３を挿通可能に形成された先端側保護部３２が備えられることにより、先端貫通孔２３ａを確実に保護することができるとともに、先端貫通孔２３ａを有する先端部２３を補強することができる。これにより、先端貫通孔２３ａを確実にインバータ１００に装着することができるとともに、装着状態において意図しない外力が作用しても先端貫通孔２３ａを保護することができる。
【０１３５】
また、スライド支持部４０は、バスバホルダ３０を支持する支持部本体４３と、先端貫通孔２３ａを被固定部６０に案内する案内部４２とで一体に構成され、支持部本体４３と案内部４２とが、長手方向Ｌに沿って所定の間隔を隔てて配置されることにより、支持部本体４３と案内部４２との間に空間を設けることができるため、例えばこの空間に対応する底面部１３に電子機器類や回路を配策することができ、設計の自由度を向上させることができる。  
具体的には、突出姿勢Ｔにおいて案内部４２と支持部本体４３とを連結している支持基部４１の下方側に隙間を形成し、電子回路を配索することができるため、設計の自由度を向上させることができる。
【０１３６】
また、支持部本体４３を箱本体１０に固定する本体側固定部４７と、案内部４２を箱本体１０に固定するスライド側固定部４６とが備えられ、被固定部６０が形成される底面部１３に対する本体側固定部４７の高さが、底面部１３に対するスライド側固定部４６の高さよりも大きく構成されることにより、所定の間隔を隔てて配置された支持部本体４３と案内部４２とをそれぞれ個別に固定できるため、支持部本体４３と案内部４２を所定の位置で確実かつ強固に固定できる。
【０１３７】
このため、バスバホルダ３０を支持部本体４３に対して安定してスライドさせることができるとともに、被固定部６０に対して先端貫通孔２３ａを所定の位置まで突出するようにスライドさせることができ、先端貫通孔２３ａをより確実にインバータ１００に装着することができる。
【０１３８】
また、被固定部６０が形成される底面部１３に対する本体側固定部４７の高さが、底面部１３に対するスライド側固定部４６の高さよりも大きく構成されることにより、支持部本体４３に対してバスバホルダ３０を所定の方向に力を作用させてスライドさせる場合であっても、高さ方向Ｈ以外の意図せぬ外力の作用により、支持部本体４３が本体側固定部４７を支点として、案内部４２に対して支持部本体４３が配置されている方向に動くことを抑制でき、より確実にバスバホルダ３０をスライドさせることができる。
【０１３９】
また、箱本体１０の外部には、図１４に示すように、スライド支持部４０に対するバスバホルダ３０のスライドを操作する操作８０が備えることができる。  
詳述すると、操作部８０は、図１４（ａ）に示すように、底面部１３に設けた操作用貫通孔（図示省略）を介して外部に突出する押し込み部８１と、押し込み部８１の一端側（−Ｌ側端部）と連結するとともに、中央を備えた枢動軸８２１を枢動軸として両端部を上下方向に枢動させることができる連結部８２と、連結部８２の他端側（＋Ｌ側端部）と連結されるとともにバスバ固定部３１４の上部に固定されている作用部８３とで構成されている。
【０１４０】
そして、図１４（ａ）に示すように、収納姿勢Ｓにおいて押し込み部８１は下方側に突出しており、押し込み部８１を上方に押し上げることにより、連結部８２が枢動軸８２１を枢動軸として回転し、連結部８２の他端側（作用部８３）と連結しているバスバ固定部３１４を下方に押し付けてバスバホルダ３０を下方にスライドさせることができる（図１４（ｂ）参照）。
【０１４１】
これにより、バスバホルダ３０をスライドさせるためにバスバホルダ３０を直接触る必要がなくなるため、意図せずにバスバ２０に触れる可能性を低減でき、バスバ２０が汚染や損傷を防止できる。
【０１４２】
また、操作部８０が箱本体１０の外部に備えられた場合には、操作部８０の操作を容易に行うことができるため、電気接続箱１の設置の作業効率を向上させることができる。  
なお、図１４（ａ）では、押し込み部８１が下方に延びる棒状体としているが、押し込み部８１の下端側を底面部１３に沿って曲げることが可能な構成とし、収納姿勢Ｓで運搬する場合などに、押し込み部８１が外部に突出しない構成としてもよい。
【０１４３】
このように構成することにより、所定の位置で電気接続箱１をインバータ１００に向けて、下方に移動するだけで、先端部２３の突出方向（高さ方向Ｈ）と平行に設けられた押し込み部８１をインバータ１００が上方に押し込むこととなるため、接続工程を簡略化することもできる。
【０１４４】
また本実施形態では、操作部８０は、外部に突出しているが、操作部８０は、スライド機構２を直接触ることがなければ、箱本体１０の内部に備えられていてもよく、またバスバホルダ３０のスライドを直接的又は間接的に操作する構成としてもよい。
【０１４５】
この発明の構成と、上述の実施形態との対応において、
この発明の外部機器は、インバータ１００に対応し、
以下同様に、
端子部は、先端貫通孔２３ａに対応し、
筐体は、箱本体１０に対応し、
開口面は、底面部１３に対応し、
収納姿勢仮固定部は、仮固定部３３及び固定案内部４５に対応し、
仮固定解除部は、仮固定解除操作部３３４に対応し、
突出姿勢固定部は、仮固定部３３及び固定案内部４５に対応し、
屈曲部は、湾曲部２６に対応し、
展延方向は、長手方向Ｌに対応し、
スライド方向は、高さ方向Ｈに対応し
バスバ保持部は、バスバ配置部７０に対応し
バスバカバー部は、先端側保護部３２に対応し
案内固定部は、スライド側固定部４６に対応し
本体固定部は、本体側固定部６１に対応し、
バスバホルダ本体は、ホルダ本体３１に対応するが、
この発明は、上述の実施形態の構成のみに限定されるものではなく、多くの実施の形態を得ることができる。
【０１４６】
例えば、本実施形態において、バスバ２０は平板状としているが、銅やアルミのような導電性を有する金属であれば棒状などに形成してもよい。また、バスバ２０は、直線状に形成されている構成や、複数回折り曲げられて形成されている構成、一回だけ折り曲げた構成、部分的又は全体的に湾曲している構成としてもよい。
【０１４７】
愚弟的には、本実施形態において、バスバ２０は段々状に形成されているが、バスバ２０をバスバホルダ３０がスライドする高さ方向Ｈにのみ延びた平板状で構成してもよい。これにより、バスバ２０を曲げ加工する必要がなく、容易に製造してバスバホルダ３０に保持させることができるため、製造工程を簡略化できるとともに、製造コストを削減できる。
【０１４８】
また、本実施形態において、収納姿勢Ｓは、被固定部６０が形成する底面部１３より内部側に先端貫通孔２３ａが配置荒れるようにバスバ２０が配置されたバスバホルダ３０の姿勢をさすが、例えばバスバ２０の先端が底面部１３と面一となるようなバスバホルダ３０の姿勢や、先端部２３が箱本体１０の内部に完全に収容された姿勢としてもよい。
【０１４９】
また、仮固定部３３及び固定案内部４５は係止することによりバスバホルダ３０とスライド支持部４０とを、突出姿勢Ｔ及び収納姿勢Ｓで固定させることができるが、バスバホルダ３０をスライド支持部４０に対して仮固定する構成は、必ずしもこの構成である必要はなく、仮固定さえできればどのような構成であってもよく、例えば別部材を用いてバスバホルダ３０を箱本体１０に対して仮固定してもよい、
【０１５０】
また、本実施形態において、バスバ２０Ｂに対するバスバ２０Ａのように、幅方向Ｗに沿って隣り合うバスバ２０に湾曲部２６を設けているが、例えばバスバ２０Ａに設けてもよいし、バスバ２０Ａ，２０Ｂ，２０ｃの内のどれか一つに設けてもよいし、３つ共に設けてもよい。  
さらに、湾曲部２６は幅方向Ｗに沿って曲がるように構成されているが、例えば長手方向Ｌに沿って曲がるように構成されていてもよい。
【０１５１】
また、展延部２１及び第二展延部２５は、本実施形態のように、底面部１３に対して平行となるように展延している場合や、底面部１３に対して傾斜するように展延してもよい。すなわち、展延部２１及び第二展延部２５の少なくとも一方が底面部１３に対して交差するように形成されていても構わない。
【０１５２】
本体側固定部４７及びスライド側固定部４６は、例えば箱本体１０の構成する底面部１３などに対して直接的に固定されている場合や、他の部材を介して箱本体１０に間接的に固定されている場合含む。
【符号の説明】
【０１５３】
１      電気接続箱
２      スライド機構
１０    箱本体
１３    底面部
２０    バスバ
２１    展延部
２３ａ  先端貫通孔
２４    起立部
２５    第二展延部
２６    湾曲部
３０    バスバホルダ
３１    ホルダ本体
３２    先端側保護部
３３    仮固定部
３３４  仮固定解除操作部
４０    スライド支持部
４２    案内部
４３    支持部本体
４５    固定案内部
４６    固定用基部
４７    本体側固定部
５０    開口部
７０    バスバ配置部
８０    操作部
１００  インバータ
Ｔ      突出姿勢
Ｓ      収納姿勢
Ｌ      長手方向
Ｈ      高さ方向
【図１】
2019176701.tif 000003
【図２】
2019176701.tif 000004
【図３】
2019176701.tif 000005
【図４】
2019176701.tif 000006
【図５】
2019176701.tif 000007
【図６】
2019176701.tif 000008
【図７】
2019176701.tif 000009
【図８】
2019176701.tif 000010
【図９】
2019176701.tif 000011
【図１０】
2019176701.tif 000012
【図１１】
2019176701.tif 000013
【図１２】
2019176701.tif 000014
【図１３】
2019176701.tif 000015
【図１４】
2019176701.tif 000016